(57)【要約】【課題】硬貨投入口周辺での硬貨の残存を防ぐ。【解決手段】硬貨が投入される硬貨投入口１５と、硬貨投入口１５から投入された硬貨を１枚ずつ分離する硬貨分離部１０と、硬貨分離部１０を駆動する駆動部１４と、入金指示が与えられた場合に駆動部１４の駆動を開始し、入金完了指示又は入金取消指示が与えられるまで当該駆動を継続する制御部とを有する。制御部は、入金完了指示又は入金取消指示の後、駆動部１４の駆動を周期的に行わせることができる。【選択図】図２
2019101784.tif 000002
【特許請求の範囲】
【請求項１】
硬貨が投入される硬貨投入口と、
前記硬貨投入口から投入された硬貨を１枚ずつ分離する硬貨分離部と、
前記硬貨分離部を駆動する駆動部と、
入金指示が与えられた場合に前記駆動部の駆動を開始し、入金完了指示又は入金取消指示が与えられるまで当該駆動を継続する制御部とを
有することを特徴とする入出金装置。
【請求項２】
請求項１に記載の入出金装置であって、
前記制御部は、前記入金完了指示又は前記入金取消指示の後、前記駆動部の駆動を周期的に行わせる
ことを特徴とする入出金装置。
【請求項３】
硬貨が投入される硬貨投入口と、
前記硬貨投入口に投入された硬貨を検出する硬貨投入口センサと、
前記投入された硬貨を１枚ずつ分離する硬貨分離部と、
前記硬貨分離部を駆動する駆動部と、
前記硬貨の検出又は紙幣の入金により、前記駆動部を駆動させる制御部と
を備えることを特徴とする入出金装置。
【請求項４】
硬貨が投入される硬貨投入口と、
前記硬貨投入口に投入された硬貨を検出する硬貨投入口センサと、
前記投入された硬貨を１枚ずつ分離する硬貨分離部と、
前記硬貨分離部を駆動する駆動部と、
前記硬貨の検出により、前記駆動部を駆動させ、前記硬貨の不検出により前記駆動部を停止させる制御部とを備え、
前記制御部は、前記駆動部の停止によって、入金結果画面を表示させ、入金完了指示、又は入金取消指示があったとき、前記駆動部を再駆動させる
ことを特徴とする入出金装置。
【請求項５】
硬貨が投入される硬貨投入口と、
前記硬貨投入口に投入された硬貨を検出する硬貨投入口センサと、
前記投入された硬貨を１枚ずつ分離する硬貨分離部と、
前記硬貨分離部を駆動する駆動部と、
前記硬貨の検出により、前記駆動部を駆動させ、前記硬貨の不検出により前記駆動部を停止させる制御部とを備え、
前記制御部は、前記硬貨の不検出期間であっても、前記硬貨分離部を所定周期で駆動させる
ことを特徴とする入出金装置。
【請求項６】
請求項１乃至請求項５の何れか一項に記載の入出金装置であって、
前記硬貨分離部は、前記硬貨投入口の近傍に配設されている
ことを特徴とする入出金装置。
【請求項７】
請求項１乃至請求項５の何れか一項に記載の入出金装置であって、
前記硬貨投入口と前記硬貨分離部との間に入金硬貨搬送部が挿入されている
ことを特徴とする入出金装置。
【発明の詳細な説明】
【技術分野】
【０００１】
本発明は、入出金装置に関し、例えば、現金処理機における硬貨投入口の搬送駆動方法に関する。
【背景技術】
【０００２】
現金処理機は、小売店、スーパーマーケット、セルフガソリンスタンド等の商業施設のバックヤードに設置されているものである。この現金処理機は、キャッシュレジスタ等の釣銭準備金を出金したり、売上金を入金したりするものである。このため、現金処理機は、紙幣処理装置、及び硬貨投入口を備えた硬貨処理装置を有している。
【０００３】
特許文献１は、硬貨振分部１１から落下する硬貨を光センサ２８で検出し、硬貨収納庫１２内の搬送ベルト１８で複数の硬貨を搬送する硬貨処理装置を開示している。特許文献１の硬貨処理装置は、規制ローラ２５、及び規制板２６で、出金ベルト２３に向かって、１枚ずつ硬貨を搬送している。
【先行技術文献】
【特許文献】
【０００４】
【特許文献１】特開２０１１−３９７７３号公報（図３、段落００２１）
【発明の概要】
【発明が解決しようとする課題】
【０００５】
ここで、特許文献１に記載の硬貨処理装置を現金処理機の硬貨投入口に適用することが考えられる。つまり、硬貨投入口から落下する硬貨を光センサで検出し、光センサの検出により、搬送ベルトを駆動し、落下した複数の硬貨を搬送するように構成した現金処理機が考えられる。
【０００６】
しかしながら、特許文献１に記載の硬貨処理装置は、落下する複数の硬貨を単一の光センサで検出している。このため、特許文献１に記載の硬貨処理装置を適用した現金処理機は、光センサ配置上、落下を検知できない領域や空間が存在してしまうことがある。この領域や空間のため、特許文献１に記載の硬貨処理装置を適用した現金処理機は、複数の硬貨を搬送ベルトに落下させた際、光センサが反応せず、入金したい硬貨が硬貨投入口に残留したままになってしまう問題点がある。
【０００７】
本発明は、硬貨投入口周辺での硬貨の残存を防ぐことができる入出金装置を提供することを目的とする。
【課題を解決するための手段】
【０００８】
前記課題を解決するため、本発明の入出金装置は、硬貨が投入される硬貨投入口と、前記硬貨投入口から投入された硬貨を１枚ずつ分離する硬貨分離部と、前記硬貨分離部を駆動する駆動部と、入金指示が与えられた場合に前記駆動部の駆動を開始し、入金完了指示又は入金取消指示が与えられるまで当該駆動を継続する制御部とを有することを特徴とする。
【０００９】
これによれば、制御部（例えば、制御装置２００）は、入金指示（例えば、「入金」ボタン３１１の押下）が与えられてから入金完了指示（例えば、「入金完了」ボタン３３４の押下）又は入金取消指示（例えば、「入金取消」ボタン３３５の押下）が与えられるまで、硬貨分離部を駆動させる。このため、入金取引中は、常時、硬貨分離部が駆動するので、硬貨分離部周辺に残存する硬貨が減少する。
【発明の効果】
【００１０】
本発明によれば、硬貨投入口周辺での硬貨の残存を防ぐことができる。
【図面の簡単な説明】
【００１１】
【図１】本発明の第１実施形態である現金処理機システムの構成図である。
【図２】硬貨投入口及び硬貨分離部の平面図である。
【図３】硬貨投入口及び硬貨分離部のＡ−Ａ断面を示す模式図である。
【図４】本発明の第１実施形態である現金処理システムの動作を説明するためのフローチャートである。
【図５】取引選択画面の一例を示す図である。
【図６】入金金額入力画面の一例を示す図である。
【図７】入金結果画面の一例を示す図である。
【図８】入金結果確認画面の一例を示す図である。
【図９】本発明の比較例である現金処理システムの動作を説明するためのフローチャートである。
【図１０】本発明の第２実施形態である現金処理システムの動作を説明するためのフローチャートである。
【図１１】本発明の第３実施形態である現金処理システムの動作を説明するためのフローチャートである。
【図１２】入金結果再確認画面の一例を示す図である。
【図１３】本発明の第４実施形態である現金処理システムの動作を説明するためのフローチャートである。
【図１４】本発明の第１変形例である現金処理システムの動作を説明するためのフローチャートである。
【図１５】本発明の第３変形例である入金金額入力画面の動作を示す画面の一例である。
【発明を実施するための形態】
【００１２】
以下、図面を参照して、本発明の実施の形態（以下、「本実施形態」と称する）につき詳細に説明する。なお、各図は、本実施形態を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１３】
(第１実施形態)
図１は、本発明の第１実施形態である現金処理システムの構成図である。
入出金装置としての現金処理システム１０００は、現金処理機１００と、制御部としての制御装置２００とが通信ケーブル（例えば、ＵＳＢ（Universal Serial Bus）ケーブル）で接続されて構成される。現金処理機１００は、硬貨入出金部９０と、紙幣入出金部９５とを備えて構成される。制御装置２００は、ＣＰＵ（Central Processing Unit）、ＲＯＭ（Read Only Memory）、ＲＡＭ（Random Access Memory）や、操作指示部２１０等を備える。制御装置２００は、ＯＳ（Operating System）及びアプリケーションプログラムの実行により実現する機能により、現金処理機１００の各部を制御する。操作指示部２１０は、タッチパネル式のＬＣＤ（Lquid Crystal Display)モニタである。操作指示部２１０は、タッチパネル上のボタンを押下することで、現金処理機１００に対して、入金、出金、回収、設定等の指示を行う。また、操作指示部２１０は、タッチパネル上に現金処理機１００の状態表示を行う。
【００１４】
硬貨入出金部９０は、硬貨分離部１０と、硬貨投入口センサ１３と、駆動部１４と、硬貨投入口１５と、硬貨分離部センサ１６、入金硬貨搬送部２０と、出金硬貨搬送部２１と、硬貨鑑別部２２と、硬貨収納庫２３と、硬貨出金部２４と、硬貨リジェクト部２５とを備えて構成される。これらの硬貨入出金部９０の構成部は、ＵＳＢ＿ＨＵＢを介して、制御装置２００から直接制御される。なお、硬貨投入口センサ１３、及び硬貨分離部センサ１６は、第１実施形態では使用されず、比較例、及び第２実施形態以降で使用される。
【００１５】
紙幣入出金部９５は、入金紙幣搬送部３０と、出金紙幣搬送部３１と、紙幣入出金口３２と、紙幣鑑別部３３と、紙幣回収カセット３４と、紙幣リジェクト部３５と、紙幣回収部３６と、紙幣収納庫４０と、表示制御部５０と、操作表示部６０とを備えて構成される。ここで、紙幣収納庫４０は、万券収納庫４１と、五千券収納庫４２と、千券収納庫４３とを備える。なお、表示制御部５０は、制御装置２００の機能を含め、現金処理機１００を入出金装置として機能させても構わない。
【００１６】
図２は、硬貨投入口及び硬貨分離部の平面図であり、図３は、硬貨投入口及び硬貨分離部のＡ−Ａ断面の模式図である。
硬貨分離部１０は、硬貨Ｃを１枚ずつ分離するものである。硬貨分離部１０は、回転円盤２と、ゲート４と、傾斜面５と、搬送面６と、ローラ７と、ギヤ９と、基準ガイド１１とを備え、入金硬貨搬送部２０の一部を構成するベルト８、及びプーリ８ａに接続される。硬貨投入口１５は、円盤ガイド３と、図示しない漏斗状の硬貨投入ガイドを備えて構成される。回転円盤２は硬貨投入口１５の下方に配設されている。つまり、硬貨投入口１５と硬貨分離部１０とは、近傍に配設されている。
硬貨分離部センサ１６は、硬貨分離部１０の後方にあり複数の赤外線発光素子（図示せず）と、対となる赤外線受光素子（図示せず）とを備えて構成される。硬貨Ｃが硬貨分離部１０から搬送されてきたとき、硬貨Ｃによる遮光を検出し、オン状態を出力するものである。
なお、破線で示す硬貨投入口センサ１３は、後記する変形例、及び他の実施形態で説明する。
【００１７】
回転円盤２は、上方から供給された硬貨Ｃを集積し、図示しない駆動源により、Ｂ方向に回転する金属板である。なお、円盤としては所定の振動を与えて分離する方式を用いた振動円盤であっても構わない。円盤ガイド３は、回転円盤２の回転により硬貨Ｃが遠心力で飛び出さないようにするために回転円盤２の外周を囲む円筒状の周壁である。
【００１８】
ゲート４は、回転円盤２の上面から硬貨１枚分の厚さを超え、２枚分の厚さ未満の隙間が空くように形成されたものである。これにより、ゲート４は、回転円盤２に集積された硬貨Ｃを一枚ずつ分離する機能を有する。なお、ゲート４は、円盤ガイド３の両端部が重ねられて形成されている。
【００１９】
傾斜面５は、ゲート４から回転円盤２の外周に沿って搬送面６に連なるように設けられている。傾斜面５は、硬貨Ｃの移動方向に対し、上流側５ａから下流側５ｂにかけて徐々に幅広となっている。また、傾斜面５の上面の高さは、上流側５ａでは回転円盤２の上面より低い位置となり、下流側５ｂでは回転円盤２の上面より高い位置となっている。
【００２０】
ローラ７は、ローラ７のゲート４側に設けられた傾斜面５と搬送面６との境界の近傍の搬送面６側に設置され、傾斜面５上から搬送面６上に出た硬貨Ｃを搬送面６との間に挟み込んで搬送する。
【００２１】
ベルト８は、図示しない駆動源によりプーリ８ａへ駆動を伝達する。
ベルト８はプーリ８ａでローラ７により搬送された硬貨Ｃを受け取り、搬送面６との間に挟み込んで、硬貨鑑別部２２（図１）まで搬送する。
【００２２】
入金硬貨搬送部２０は、上記の搬送面６、ベルト８、プーリ８ａにより構成され、図示しない駆動源によりプーリ８ａが回転させられる。ギヤ９は、プーリ８ａの回転速度を減速させてローラ７に伝達し、ローラ７の硬貨Ｃの搬送速度をベルト８の硬貨Ｃの搬送速度より遅くして、適切な硬貨間隔を確保する。
【００２３】
基準ガイド１１は、傾斜面５に設けられた壁であり、１枚ずつ分離された硬貨Ｃが搬送面６に至るまでの軌道を規制する。
【００２４】
入金硬貨搬送部２０は、硬貨Ｃを硬貨投入口１５から硬貨鑑別部２２の方向へ繰り出す。硬貨鑑別部２２は、硬貨Ｃの金種を判別し、真偽を鑑別する部位である。硬貨収納庫２３は、硬貨Ｃを収納する部位であり、硬貨鑑別部２２で正常貨と鑑別された硬貨を収納し、出金、回収時にはここから出金する。出金硬貨搬送部２１は、硬貨を硬貨収納庫２３から硬貨出金部２４の方向へ繰り出す。硬貨出金部２４は、出金、回収時の硬貨出金口である。硬貨リジェクト部２５は、硬貨投入口１５から硬貨収納庫２３へ収納する際のリジェクト硬貨を集積する部位である。
【００２５】
入金紙幣搬送部３０は、紙幣を紙幣入出金口３２から紙幣鑑別部３３の方向へ繰り出す。紙幣入出金口３２は、入金紙幣の投入口であるとともに、出金紙幣及び入金リジェクト紙幣の出金口である。また、紙幣入出金口３２は、紙幣入金センサ（図示せず）を設けている。紙幣鑑別部３３は、紙幣の金種を判別し、真偽を鑑別する部位である。
【００２６】
出金紙幣搬送部３１は、紙幣を紙幣収納庫４０から紙幣鑑別部３３の方向へ繰り出す。
紙幣回収カセット３４は、紙幣リジェクト部３５と、紙幣回収部３６とを備える。紙幣リジェクト部３５は、紙幣入出金口３２から紙幣収納庫４０へ収納する際、及び紙幣収納庫４０から紙幣入出金口３２や紙幣回収カセット３４へ出金、回収する際のリジェクト紙幣を集積する部位である。紙幣収納庫４０は、入金で正券と鑑別された紙幣を収納し、出金、回収時にはここから出金する。紙幣回収部３６は、紙幣収納庫４０から回収した紙幣を収納する部位である。
【００２７】
表示制御部５０は、操作表示部６０を介して、制御装置２００と通信ケーブルで接続されている。操作表示部６０は、ＬＣＤ（Lquid Crystal Display）やスイッチ等から構成されており、紙幣入出金部９５の状態表示や単体動作時の操作をする部位である。
【００２８】
（動作の説明)
図４は、本発明の第１実施形態である現金処理システムの動作を説明するためのフローチャートである。
図４のルーチンＳ１０は、図５に示す取引選択画面３１０の「入金」ボタン３１１が押下されたときに実行される。なお、取引選択画面３１０（図５）は、操作指示部２１０（図１）に表示される画面であり、「入金」ボタン３１１の他に、文字列「取引選択」及び「取引を選択して下さい」、「出金」ボタン３１２、「装填」ボタン３１３、「回収」ボタン３１４を備える。
【００２９】
制御装置２００は、入金金額入力画面３２０（図６）を操作指示部２１０に表示する（Ｓ１１）。つまり、操作指示部２１０は、取引選択画面３１０の「入金」ボタン３１１の押下により、入金金額入力画面３２０に切り替わる。入金金額入力画面３２０は、文字列「入金金額入力」及び「入金金額を入力してください。」、「入金金額」欄３２１、テンキー３２２、「確認」ボタン３２３を備える。
【００３０】
操作者は、入金金額入力画面３２０で入金金額を入力し、「確認」ボタン３２３を押下する。この「確認」ボタン３２３の押下により、現金処理機１００は、紙幣や硬貨Ｃの入金ができるようになる。なお、予め、入金金額が決まっている場合は、その金額を制御装置２００で設定し、入金金額が表示された状態で、「確認」ボタン３２３を押下することにしてもよい。
【００３１】
図４の説明に戻り、「確認」ボタン３２３の押下により、制御装置２００は、硬貨分離部１０、及び入金硬貨搬送部２０を駆動させる（Ｓ１２）。Ｓ１２の処理後、制御装置２００は、入金結果画面３３０（図７）を操作指示部２１０に表示する（Ｓ１３）。言い換えれば、操作指示部２１０は、入金金額入力画面３２０の「確認」ボタン３２３（図６）の押下により、入金結果画面３３０（図７）に切り替わる。なお、入金結果画面３３０は、文字列「入金結果」及び「現金を入れて下さい」、「入金」金額欄３３１、「預り金」金額欄３３２、「釣銭」金額欄３３３と、「入金完了」ボタン３３４、「入金取消」ボタン３３５を含んで構成されている。
【００３２】
Ｓ１３の処理後、制御装置２００は、「入金完了」ボタン３３４又は「入金取消」ボタン３３５が押下されたか否か判定する（Ｓ１４）。「入金完了」ボタン３３４又は「入金取消」ボタン３３５が押下されなければ（Ｓ１４でＮｏ）、制御装置２００は、Ｓ１３の処理に戻り、入金結果画面３３０を表示し続ける。一方、「入金完了」ボタン３３４又は「入金取消」ボタン３３５が押下されれば（Ｓ１４でＹｅｓ）、制御装置２００は、硬貨分離部１０、及び入金硬貨搬送部２０の駆動を停止させる（Ｓ１５）。
【００３３】
Ｓ１５の処理後、制御装置２００は、入金結果確認画面３４０（図８）を操作指示部２１０に表示する（Ｓ１６）。入金結果確認画面３４０は、入金結果画面３３０から「入金完了」ボタン３３４、及び「入金取消」ボタン３３５を削除したものである。この入金結果確認画面３４０上のどこかに、操作者がタッチすると、入金処理終了となり、入金結果画面３３０が取引選択画面３１０に切り替わる。
【００３４】
(効果の説明)
第１実施形態の現金処理システム１０００は、制御装置２００に対して「入金」ボタン３１１の押下から「入金完了」ボタン３３４の押下又は「入金取消」ボタン３３５の押下まで、硬貨分離部１０、及び入金硬貨搬送部２０が駆動する。このため、入金取引中（「入金」ボタン３１１が押下されてから「入金完了」ボタン３３４又は「入金取消」ボタン３３５が押下されるまで）は、常時、硬貨分離部１０が駆動するので、硬貨分離部１０（特に、回転円盤２の周辺）に残存する硬貨が減少する。
【００３５】
（比較例）
比較例の現金処理システム１０００は、硬貨投入口センサ１３（図１，２，３）を使用する点で、現金処理システム１０００と相違する。硬貨投入口センサ１３は、複数の赤外線発光素子（図示せず）と、対となる赤外線受光素子（図示せず）とを備えて構成される。硬貨投入口センサ１３は、１乃至複数の硬貨Ｃが硬貨投入口１５に投入されたとき、硬貨Ｃによる遮光を検出し、オン状態を出力するものである。
【００３６】
（動作の説明）
図９は、本発明の比較例である現金処理システムの動作を説明するためのフローチャートである。
図９のルーチンＳ２０は、図５に示す取引選択画面３１０の「入金」ボタン３１１が押下されたときに実行される。
制御装置２００は、入金金額入力画面３２０（図６）を操作指示部２１０に表示する（Ｓ２１）。Ｓ２１の処理後、制御装置２００は、硬貨投入口センサ１３がオンであるかを判定する（Ｓ２２）。硬貨投入口センサ１３がオンでなければ（Ｓ２２でＮｏ）、制御装置２００は、Ｓ２２の判定を繰り返す。一方、硬貨投入口センサ１３がオンであるときには（Ｓ２２でＹｅｓ）、制御装置２００は、硬貨分離部１０、及び入金硬貨搬送部２０を駆動させる（Ｓ２３）。つまり、制御装置２００は、硬貨Ｃの検出により、硬貨分離部１０、及び入金硬貨搬送部２０を駆動させ、硬貨Ｃの非検出により、硬貨分離部１０、及び入金硬貨搬送部２０を停止させる。
【００３７】
Ｓ２３の処理後、制御装置２００は、硬貨投入口センサ１３がオンであるか否か判定する（Ｓ２４）。硬貨投入口センサ１３がオンであれば（Ｓ２４でＹｅｓ）、制御装置２００は、Ｓ２４の判定を繰り返す。つまり、硬貨Ｃが投入されている限り、硬貨分離部１０、及び入金硬貨搬送部２０は、駆動し続ける。一方、硬貨投入口センサ１３がオンでなければ（Ｓ２４でＮｏ）、制御装置２００は、硬貨分離部１０、及び入金硬貨搬送部２０の駆動を停止させる（Ｓ２５）。つまり、硬貨Ｃの投入停止により、硬貨分離部１０、及び入金硬貨搬送部２０は停止する。
【００３８】
Ｓ２５の処理後、制御装置２００は、入金結果画面３３０（図７）を操作指示部２１０に表示すると共に、金額の更新を行う（Ｓ２６）。Ｓ２６の処理後、制御装置２００は、硬貨投入口センサ１３がオンであるかを判定する（Ｓ２７）。硬貨投入口センサ１３がオンであれば（Ｓ２７でＹｅｓ）、制御装置２００は、処理をＳ２３に戻し、硬貨分離部１０、及び入金硬貨搬送部２０を駆動させる。つまり、初回の硬貨投入で、入金結果画面３３０が表示された後、操作者が、再び入金を行えば、硬貨分離部１０、及び入金硬貨搬送部２０が駆動し、入金結果画面３３０が表示される。
【００３９】
一方、硬貨投入口センサ１３がオンでないときには（Ｓ２７でＮｏ）、制御装置２００は、「入金完了」ボタン３３４又は「入金取消」ボタン３３５が押下されたか否か判定する（Ｓ２８）。「入金完了」ボタン３３４又は「入金取消」ボタン３３５が押下されなければ（Ｓ２８でＮｏ）、制御装置２００は、Ｓ２６の処理に戻り、入金結果画面３３０の表示、及び更新を繰り返す。つまり、操作者は、硬貨Ｃの投入、停止を繰り返すことができ、入金結果画面３３０が自動更新される。
【００４０】
一方、「入金完了」ボタン３３４又は「入金取消」ボタン３３５が押下されれば（Ｓ２８でＹｅｓ）、制御装置２００は、入金結果確認画面３４０（図８）を操作指示部２１０に表示し（Ｓ２９）、入金処理が終了する。入金結果確認画面３４０は、文字列「入金結果確認」及び「釣銭を確認し画面をタッチして下さい」、「入金」金額欄３３１、「預り金」金額欄３３２、「釣銭」金額欄３３３とを含んで構成される。
【００４１】
これにより、本比較例の現金処理システム１０００は、硬貨が硬貨収納庫に収納されるたびに、入金結果画面３３０上の「預り金」金額欄３３２と「釣銭」金額欄３３３の表示が更新される。なお、入金結果画面３３０の「入金完了」ボタン３３４は、「預り金」の金額が「入金」の金額以上となった場合にのみ押下でき、「入金取消ボタン」３３５は常に押下することができる。
【００４２】
比較例の現金処理システム１０００は、硬貨投入口センサ１３が反応しないことにより、硬貨分離部１０に硬貨Ｃが残留したままとなってしまうことがある。また、比較例の現金処理システム１０００は、「入金取消」ボタン３３５（図７）が押下されたとき、既に硬貨収納庫２３に格納された硬貨Ｃは返却されるが、硬貨投入口１５に残存した硬貨Ｃは返却されないという問題もある。
【００４３】
なお、操作者は、硬貨Ｃの残留に気付いた場合には、硬貨投入口１５に手指や新たな硬貨を投入して、硬貨投入口センサ１３を反応させることができる。これにより、比較例の現金処理システム１０００においても、硬貨分離部１０、及び入金硬貨搬送部２０を駆動し、硬貨Ｃを繰り出すことができる。しかし、操作者が硬貨Ｃの残留に気付かなかった場合には、比較例の現金処理システム１０００は、そのまま次の入金取引を行ってしまうことになる。つまり、比較例の現金処理システム１０００は、本来は前回の入金取引で入金されるべき硬貨Ｃが、次の入金取引で入金されてしまう問題点がある。
【００４４】
これに対して、前記第１実施形態の現金処理システム１０００であれは、入金取引時、制御装置２００は、常時、硬貨分離部１０、及び入金硬貨搬送部２０を駆動させるので、硬貨分離部１０に硬貨Ｃが残留することがない。このため、硬貨投入口１５に手指や新たな硬貨を投入する必要がなく、前回の入金取引で入金されるべき硬貨Ｃが次の入金取引で入金されてしまうこともない。
【００４５】
(第２実施形態)
前記比較例の現金処理システム１０００は、硬貨の投入検出／非検出に応じて、硬貨分離部１０を駆動／停止させていた。入金取引中であれば、硬貨非検出であっても、紙幣投入検知と同時に、硬貨分離部１０を駆動させても構わない。
【００４６】
(構成の説明)
前記した比較例の現金処理システム１０００と同様である。つまり、現金処理システム１０００は、硬貨投入口センサ１３を使用する。また、紙幣入出金口３２（図１）は、紙幣入金センサを設け、表示制御部５０を介して、制御装置２００に対してセンサ情報を送信している。
【００４７】
（動作の説明）
図１０は、本発明の第２実施形態である現金処理システムの動作を説明するためのフローチャートである。
Ｓ３０のルーチンは、取引選択画面３１０（図５）の「入金」ボタン３１１が押下されたときに実行される。
制御装置２００は、入金金額入力画面３２０（図６）を操作指示部２１０に表示する（Ｓ３１）。Ｓ３１の後、制御装置２００は、硬貨投入口センサ１３がオン、又は紙幣投入検知の有無の判定を行う（Ｓ３２）。つまり、制御装置２００は、硬貨の投入だけでなく、紙幣の投入の判定を行う。
【００４８】
硬貨投入口センサ１３がオン又は紙幣投入検知がなければ（Ｓ３２でＮｏ）、Ｓ３２の判定を繰り返す。硬貨投入口センサ１３がオン又は紙幣投入検知があったとき（Ｓ３２でＹｅｓ）、制御装置２００は、硬貨分離部１０、及び入金硬貨搬送部２０を駆動させる（Ｓ３３）。つまり、制御装置２００は、硬貨の投入が無くても、紙幣の投入があれば、硬貨分離部１０、及び入金硬貨搬送部２０を駆動させる。
【００４９】
Ｓ３３−Ｓ３６までの処理は、比較例の処理Ｓ２３−Ｓ２６までの処理と同様である。
Ｓ３７においては、制御装置２００は、硬貨投入口センサ１３がオン、又は紙幣投入検知の有無の判定を行う。硬貨投入口センサ１３がオン、又は紙幣投入検知があったとき（Ｓ３７でＹｅｓ）、つまり、操作者が再び入金したとき、制御装置２００は、処理をＳ３３に戻し、硬貨分離部１０、及び入金硬貨搬送部２０を駆動させる。
【００５０】
一方、硬貨投入口センサ１３がオン又は紙幣投入検知されないときには（Ｓ３７でＮｏ）、制御装置２００は、「入金完了」ボタン３３４又は「入金取消」ボタン３３５が押下されたか否か判定する（Ｓ３８）。「入金完了」ボタン３３４又は「入金取消」ボタン３３５が押下されなければ（Ｓ３８でＮｏ）、制御装置２００は、Ｓ３６の処理に戻り、入金結果画面３３０を自動更新する。
【００５１】
一方、「入金完了」ボタン３３４又は「入金取消」ボタン３３５が押下されれば（Ｓ３８でＹｅｓ）、制御装置２００は、入金結果確認画面３４０（図８）を操作指示部２１０に表示し（Ｓ２９）、入金処理が終了する。
【００５２】
本実施形態の現金処理システムによれば、入金取引中は、紙幣投入検知と同時に硬貨分離部１０、及び入金硬貨搬送部２０を駆動する。これにより、硬貨投入口センサ１３が反応しないことにより、硬貨Ｃが入金できないケースが軽減される。
【００５３】
(第３実施形態)
(構成の説明)
前記した比較例の現金処理システム１０００と同様である。つまり、現金処理システム１０００は、硬貨投入口センサ１３を使用している。
【００５４】
(動作の説明)
図１１は、本発明の第３実施形態である現金処理システムの動作を説明するためのフローチャートである。
このルーチンＳ４０は、取引選択画面３１０（図５）の「入金」ボタン３１１が押下されたときに実行される。
Ｓ４１−Ｓ４７までの処理は、比較例の処理Ｓ２１−Ｓ２７までの処理と同様である。
【００５５】
Ｓ４８において、「入金完了」ボタン３３４が押下されれば（Ｓ４８でＹｅｓ）、制御装置２００は、硬貨分離部１０、及び入金硬貨搬送部２０を再駆動させる（Ｓ４９）。つまり、硬貨分離部１０、及び入金硬貨搬送部２０は、最初の硬貨投入で駆動し（Ｓ４３）、入金結果画面３３０が表示されてから（Ｓ４６）、次の硬貨Ｃの投入が無い限り（Ｓ４７でＮｏ）、駆動停止されるので（Ｓ４５）、Ｓ４９の駆動は、再駆動と位置づけられる。
【００５６】
Ｓ４９の処理後、制御装置２００は、硬貨投入口センサ１３がオンであるか否かを判定する（Ｓ５０）。このとき、操作者が硬貨Ｃを再投入したとすれば、硬貨投入口センサ１３がオンになり（Ｓ５０でＹｅｓ）、制御装置２００は、処理をＳ４３に戻し、硬貨分離部１０、及び入金硬貨搬送部２０の駆動を継続させ（Ｓ４３）、入金結果確認画面３４０（図８）を更新する（Ｓ５２）。
【００５７】
一方、硬貨Ｃの再投入が無く、硬貨投入口センサ１３がオンでなければ（Ｓ５０でＮｏ）、制御装置２００は、硬貨Ｃの収納が有ったか否かを判定する（Ｓ５３）。つまり、制御装置２００は、硬貨鑑別部２２（図１）の鑑別結果を用いて、硬貨Ｃの収納が有ったか否かを判定する（Ｓ５３）。ここで、Ｓ４９の再駆動によっても、硬貨分離部１０に硬貨Ｃが残っていれば、硬貨Ｃの収納が有り、硬貨Ｃが残っていなければ、硬貨Ｃの収納が無いことになる。
【００５８】
硬貨収納が無ければ（Ｓ５３でＮｏ）、制御装置２００は、硬貨分離部１０、及び入金硬貨搬送部２０を停止させ（Ｓ５１）、入金結果確認画面３４０（図８）を操作指示部２１０（図１）に表示し（Ｓ５２）、入金処理が終了する。一方、硬貨収納が有れば（Ｓ５３でＹｅｓ）、制御装置２００は、硬貨分離部１０、及び入金硬貨搬送部２０を停止させ（Ｓ５４）、ワーニング画面の表示及びブザーの鳴動を行わせる（Ｓ５５）。これにより、操作者に再度預り金の金額の確認を促す。そして、制御装置２００は、入金結果再確認画面３５０（図１２）を操作指示部２１０（図１）に表示し（Ｓ５６）、入金処理が終了する。
【００５９】
図１２は、入金結果再確認画面の一例を示す図である。
入金結果再確認画面３５０は、文字列「入金結果再確認」及び「釣銭を再度確認し画面をタッチして下さい」と、「入金」金額欄３５１と、「預り金」金額欄３５２と、「釣銭」金額欄３５３とを含む。
ここで、入金金額は、１，３００円であり、入金結果確認画面３４０（図８）と同一金額であるが、預かり金金額は、２，３００円であり、入金結果確認画面３４０（図８）の２，０００円に対して、３００円増加している。つまり、硬貨投入口１５に硬貨Ｃが残っていたことになる。これに伴い、釣銭金額は、７００円から１０００円に増加している。
【００６０】
本実施形態の現金処理システム１０００は、「入金完了」ボタン３３４又は「入金取消」ボタン３３５の押下により、硬貨分離部１０、及び入金硬貨搬送部２０を再駆動する。これにより、現金処理システム１０００は、硬貨分離部１０に残存した硬貨Ｃを１枚ずつ分離することができる。つまり、入金取引中は、硬貨投入口センサ１３の反応に関係なく、最終的には硬貨Ｃを入金することができる。
【００６１】
(第４実施形態)
前記第３実施形態は、「入金完了」ボタン３３４（図７）の押下により、硬貨分離部１０、及び入金硬貨搬送部２０を再駆動させたが、「入金取消」ボタン３３５の押下により、再駆動させても構わない。
(構成の説明)
前記した比較例の現金処理システム１０００と同様である。つまり、硬貨投入口１５は、硬貨投入口センサ１３を有している。また、紙幣入出金口３２（図１）は、紙幣入金センサを設けている。
【００６２】
(動作の説明)
図１３は、本発明の第４実施形態である現金処理システムの動作を説明するためのフローチャートである。
このルーチンＳ６０は、取引選択画面３１０（図５）の「入金」ボタン３１１が押下されたときに実行される。
本実施形態の処理は、Ｓ６８を除いて、図１１に示す第３実施形態の処理と同一である。つまり、Ｓ６１−Ｓ６７，Ｓ６９−Ｓ７７までの処理は、第３実施形態の処理Ｓ４１−Ｓ４７，Ｓ４９−Ｓ５６までの処理と同一である。
【００６３】
Ｓ６８においては、制御装置２００は、入金結果画面３３０（図７）が表示されている状態において（Ｓ６６）、「入金取消」ボタン３３５の押下があったか否か判定する。
Ｓ６８において、「入金取消」ボタン３３５が押下されなければ（Ｓ６６でＮｏ）、制御装置２００は、入金結果画面３３０（図７）の表示を更新する（Ｓ６６）。一方、「入金取消」ボタン３３５が押下されれば（Ｓ６８でＹｅｓ）、制御装置２００は、硬貨分離部１０、及び入金硬貨搬送部２０を再駆動させ（Ｓ６９）、硬貨投入口１５に残存している硬貨Ｃを収納させる。そして、収納済みの硬貨を硬貨出金部２４へ返却する。
本実施形態によれば、「入金取消」ボタン３３５の押下に代えて、「入金完了」ボタン３３４（図７）の押下により、硬貨分離部１０、及び入金硬貨搬送部２０を再駆動してもよい。
本実施形態によれば、硬貨投入口センサ１３の検知結果に代えて、硬貨分離部センサ１６の検知結果を利用してもよい。
【００６４】
（効果の説明）
本実施形態によれば、制御装置２００は、「入金取消」ボタン３３５の押下タイミングで硬貨分離部１０、及び入金硬貨搬送部２０を再駆動させる。そのため、硬貨投入口センサ１３の反応に関係なく、最終的には硬貨Ｃを入金することができる。これにより、預り金全額を硬貨出金部２４に返却することができる。
【００６５】
（第１変形例）
図１４は、本発明の第１変形例である現金処理システムの動作を説明するためのフローチャートである。
前記第２−４実施形態の現金処理システム１０００は、硬貨が投入され、硬貨投入口センサ１３がオンになったときに、硬貨分離部１０、及び入金硬貨搬送部２０が駆動した。この変形例の現金処理システム１０００は、硬貨の投入が無くても、数秒毎の周期的に硬貨分離部１０、及び入金硬貨搬送部２０を駆動させる。
【００６６】
このルーチンＳ８０は、取引選択画面３１０（図５）の「入金」ボタン３１１が押下されたときに実行される。
制御装置２００は、入金金額入力画面３２０（図６）を操作指示部２１０に表示する（Ｓ８１）。Ｓ８１の処理後、制御装置２００は、硬貨投入口センサ１３がオンであるか、又は駆動周期に到達したか否かを判定する（Ｓ８２）。硬貨投入口センサ１３がオンでなく、駆動周期に到達しなければ（Ｓ８２でＮｏ）、制御装置２００は、Ｓ８２の判定を繰り返す。一方、硬貨投入口センサ１３がオンであるとき、又は駆動周期に到達したときには（Ｓ８２でＹｅｓ）、制御装置２００は、硬貨分離部１０、及び入金硬貨搬送部２０を駆動させる（Ｓ８３）。
【００６７】
Ｓ８３の処理後、制御装置２００は、硬貨投入口センサ１３がオンであるかを判定する（Ｓ８４）。硬貨投入口センサ１３がオンであれば（Ｓ８４でＹｅｓ）、制御装置２００は、Ｓ８４の判定を繰り返す。つまり、硬貨Ｃが投入されている限り、硬貨分離部１０、及び入金硬貨搬送部２０は、駆動し続ける。硬貨投入口センサ１３がオンでなければ（Ｓ８４でＮｏ）、制御装置２００は、硬貨分離部１０、及び入金硬貨搬送部２０の駆動を停止させる（Ｓ８５）。つまり、硬貨Ｃの投入が停止すれば、硬貨分離部１０、及び入金硬貨搬送部２０は、停止する。
【００６８】
Ｓ８５の処理後、制御装置２００は、入金結果画面３３０（図７）を操作指示部２１０に表示すると共に、金額の更新を行う（Ｓ８６）。Ｓ８６の処理後、制御装置２００は、硬貨投入口センサ１３がオンであるか、又は駆動周期に到達したか否かを判定する（Ｓ８７）。硬貨投入口センサ１３がオンであるか、又は駆動周期に到達したときには（Ｓ８７でＹｅｓ）、制御装置２００は、処理をＳ８３に戻し、硬貨分離部１０、及び入金硬貨搬送部２０を駆動させる。つまり、初回の硬貨投入で、入金結果画面３３０が表示された後、操作者が、再び入金を行えば、硬貨分離部１０、及び入金硬貨搬送部２０が駆動し、入金結果画面３３０が表示される。
【００６９】
一方、硬貨投入口センサ１３がオンでなく、駆動周期に到達しないときには（Ｓ８４でＮｏ）、制御装置２００は、「入金完了」ボタン３３４又は「入金取消」ボタン３３５が押下されたか否か判定する（Ｓ８８）。「入金完了」ボタン３３４又は「入金取消」ボタン３３５が押下されなければ（Ｓ８８でＮｏ）、制御装置２００は、Ｓ２６の処理に戻り、入金結果画面３３０の表示、及び更新をし続ける。つまり、操作者は、硬貨Ｃの投入、停止を繰り返すことができ、入金結果画面３３０が自動更新される。
【００７０】
一方、「入金完了」ボタン３３４又は「入金取消」ボタン３３５が押下されれば（Ｓ８８でＹｅｓ）、制御装置２００は、入金結果確認画面３４０（図８）を操作指示部２１０に表示し（Ｓ８９）、入金処理が終了する。
【００７１】
（効果の説明）
制御装置２００は、「入金」ボタン３１１の押下から「入金完了」ボタン３３４又は「入金取消」ボタン３３５の押下までの入金取引中において、硬貨分離部１０、及び入金硬貨搬送部２０を、数秒など周期的に駆動する。これにより、硬貨投入口センサ１３が反応しないことによって、硬貨Ｃの入金ができないケースが低減する。
【００７２】
（第２変形例）
前記第１実施形態は、「入金完了」ボタン３３４や「入金取消」ボタン３３５の押下により（Ｓ１４でＹｅｓ）、硬貨分離部１０、及び入金硬貨搬送部２０を停止させていたが（Ｓ１５）、前記第１変形例のように、「入金完了」ボタン３３４や「入金取消」ボタン３３５の押下により（Ｓ１４でＹｅｓ）、硬貨分離部１０、及び入金硬貨搬送部２０を周期的に駆動させることができる。
【００７３】
硬貨分離部１０、及び入金硬貨搬送部２０を入金取引中、常時駆動させても、残存硬貨が存在することも考えられる。このようなときでも、硬貨分離部１０、及び入金硬貨搬送部２０を一時停止し、再駆動させることで硬貨の位置がずれて、硬貨分離部１０で、分離することができる。つまり、硬貨分離部１０、及び入金硬貨搬送部２０を常時駆動させる第１実施形態であっても、保険的に再度駆動させる効果が存在する。
【００７４】
（第３変形例）
図１５は、本発明の第３変形例である入金金額入力画面の動作を示す画面の一例である。
入金金額入力画面３２０において、操作者が１０００円未満の桁を全て０にした入金金額（例えば、２０００円）を入力した場合、制御装置２００は、文字列「硬貨の入金はありますか？」を備えたポップアップ画面３６０を操作指示部２１０に表示する。
ポップアップ画面３６０は、文字列「硬貨の入金はありますか？」と、「はい」ボタン３６１と、「いいえ」ボタン３６２とを有する。
【００７５】
ここで、制御装置２００は、「いいえ」ボタン３６２が押下されたなら、硬貨分離部１０、及び入金硬貨搬送部２０を駆動しない。一方、「はい」ボタン３６１が押下されたなら、入金金額の入力ミスであると判定し、入金金額入力画面３２０（図６）を再表示し、入金金額の確認を促したり、硬貨分離部１０、及び入金硬貨搬送部２０の再駆動を行ったりする。
なお、「入金完了」ボタン３３４や「入金取消」ボタン３３５（図７）の押下後については、制御装置２００は、入金金額にかかわらず、硬貨分離部１０、及び入金硬貨搬送部２０を駆動する。
【００７６】
（第４変形例）
前記各実施形態は、硬貨投入口１５の下方に回転円盤２を設け、硬貨分離部１０は硬貨投入口１５の近傍に配設していた。硬貨投入口１５の下方に入金硬貨搬送部のベルトを配設し、そのベルトで、落下した複数の硬貨を次段の硬貨分離部まで搬送させてもよい。つまり、硬貨投入口１５と硬貨分離部との間に入金硬貨搬送部を挿入させても構わない。このような構成においても、制御装置２００は、硬貨分離部、及び入金硬貨搬送部を同時駆動／同時停止させる。つまり、制御装置２００は、入金取引中（「入金」ボタン３１１が押下されてから「入金完了」ボタン３３４又は「入金取消」ボタン３３５が押下されるまで）の常時駆動、入金取引中の周期的駆動、入金取引後の周期的駆動、「入金完了」ボタン３３４又は「入金取消」ボタン３３５の押下による再駆動を行う。これにより、硬貨投入口１５の下方に配設されたベルトの周辺に残存する硬貨が搬送される。
【符号の説明】
【００７７】
２  回転円盤
３  円盤ガイド
４  ゲート
７  ローラ
８  ベルト
１０  硬貨分離部
１３  硬貨投入口センサ
１４  駆動部
１５  硬貨投入口
２０  入金硬貨搬送部
３２  紙幣入出金口
１００  現金処理機（入出金装置）
２００  制御装置（制御部）
２１０  操作指示部
３１０  取引選択画面
３２０  入金金額入力画面
３３０  入金結果画面
３４０  入金結果確認画面
３５０  入金結果再確認画面
３６０  ポップアップ画面
１０００  現金処理システム
【図１】
2019101784.tif 000003
【図２】
2019101784.tif 000004
【図３】
2019101784.tif 000005
【図４】
2019101784.tif 000006
【図５】
2019101784.tif 000007
【図６】
2019101784.tif 000008
【図７】
2019101784.tif 000009
【図８】
2019101784.tif 000010
【図９】
2019101784.tif 000011
【図１０】
2019101784.tif 000012
【図１１】
2019101784.tif 000013
【図１２】
2019101784.tif 000014
【図１３】
2019101784.tif 000015
【図１４】
2019101784.tif 000016
【図１５】
2019101784.tif 000017